(57)【要約】【課題】小型化および構成の簡易化を図るとともに、設計の自由度の向上を図ること。【解決手段】複数のＮＤフィルタ４０２を備えるとともに光路から退避した位置に設けられた回動軸６０１ａを中心として回動可能に設けられて、回動することによって複数のＮＤフィルタ４０２を選択的に光路上に位置付けるターレット４０１と、光路から退避した位置に設けられた回動軸２０５を中心として回動可能に設けられた切り替えレバーと、光軸を中心とする環形状をなすとともに光軸を中心として回動可能に設けられたギヤを介してターレット４０１と切り替えレバーとを連動可能に連結し、切り替えレバーの回動駆動力をターレット４０１に伝達する動力伝達機構と、を備えたことを特徴とする。【選択図】図７
2010061002.tif 000002
【特許請求の範囲】
【請求項１】
１または複数の光学フィルタを備えるとともに光路から退避した位置に設けられた第１の回動軸を中心として回動可能に設けられて、回動することによって前記光学フィルタを選択的に前記光路上に位置付けるターレットと、
前記光路から退避した位置に設けられた第２の回動軸を中心として回動可能に設けられた切り替えレバーと、
光軸を中心とする環形状をなすとともに前記光軸を中心として前記光路の外周側において回動可能に設けられたギヤを介して前記ターレットと前記切り替えレバーとを連動可能に連結し、前記切り替えレバーの回動駆動力を前記ターレットに伝達する動力伝達機構と、
を備えたことを特徴とする光学フィルタ切替機構。
【請求項２】
前記動力伝達機構は、前記ターレットと前記切り替えレバーとを前記ギヤに直接連結することによって前記切り替えレバーの回動駆動力を前記ターレットに伝達することを特徴とする請求項１に記載の光学フィルタ切替機構。
【請求項３】
光路上に設けられたレンズと、
１または複数の光学フィルタを備えるとともに前記光路から退避した位置に設けられた第１の回動軸を中心として回動可能に設けられて、回動することによって前記光学フィルタを選択的に前記光路上に位置付けるターレットと、
前記光路から退避した位置に設けられた第２の回動軸を中心として回動可能に設けられた切り替えレバーと、
光軸を中心とする環形状をなすとともに前記光軸を中心として前記光路の外周側において回動可能に設けられたギヤを介して前記ターレットと前記切り替えレバーとを連動可能に連結し、前記切り替えレバーの回動駆動力を前記ターレットに伝達する動力伝達機構と、
を備えたことを特徴とするレンズ装置。
【請求項４】
撮像用の光電変換素子と、
前記光電変換素子に外光を入射させる請求項３に記載のレンズ装置と、
を備えたことを特徴とする撮像装置。
【発明の詳細な説明】
【技術分野】
【０００１】
この発明は、光路上に光学フィルタを選択的に位置付ける光学フィルタ切替機構、当該光学フィルタ切替機構を備えたレンズ装置、および、当該レンズ装置を備えた撮像装置に関する。
【背景技術】
【０００２】
光学フィルタ切替機構は、撮像装置に取り付けられるレンズ装置などに設けられて、ＮＤフィルタなどの光学フィルタを１または複数備えている。光学フィルタ切替機構は、光学フィルタを支持するターレットを光路から退避した位置に設けられた回動軸を中心として回動させることによって、光学フィルタを選択的に光路上に位置付ける。
【０００３】
このような光学フィルタ切替機構においては、ターレットを回動させるための切り替えレバーを手動で回動させることによって、光学フィルタを選択的に光路上に位置付けるようにしたものがあった。従来、たとえば切り替えレバーの回動中心とターレットの回動中心とを同位置に設け、切り替えレバーの回動に連動してターレットが回動するようにした光学フィルタ切替機構があった。
【０００４】
また従来、たとえばターレットの回動中心および切り替えレバーの回動中心を互いに離間して配置し、ターレットを回動させるギヤと切り替えレバーの回動に応じて回動するギヤとを連結用のギヤによって連結した技術があった（たとえば、下記特許文献１を参照）。連結用のギヤは、光路を避けて配置する必要がある。
【０００５】
【特許文献１】特開平５−６８２１３号公報
【発明の開示】
【発明が解決しようとする課題】
【０００６】
しかしながら、上述した従来の技術では、切り替えレバーの回動中心とターレットの回動中心とが同位置に設けられるように構成した場合、切り替えレバーの配置位置に制限が生じ、設計の自由度が低下するという問題があった。
【０００７】
一方で、上述した従来の技術では、ターレットの回動中心および切り替えレバーの回動中心を互いに離間させることによって設計の自由度を向上させることが可能になるが、連結用のギヤが必要になるために部品点数が増加し、レンズ装置の構造が複雑化したりレンズ装置が大型化したりするという問題があった。また、上述した従来の技術では、光路を避けて連結用のギヤを配置することによりレンズ装置が大型化するという問題があった。
【０００８】
この発明は、上述した従来技術による問題点を解消するため、小型化および構成の簡易化を図るとともに、設計の自由度の向上を図ることができる光学フィルタ切替機構、レンズ装置および撮像装置を提供することを目的とする。
【課題を解決するための手段】
【０００９】
上述した課題を解決し、目的を達成するため、この発明にかかる光学フィルタ切替機構は、１または複数の光学フィルタを備えるとともに光路から退避した位置に設けられた第１の回動軸を中心として回動可能に設けられて、回動することによって前記光学フィルタを選択的に前記光路上に位置付けるターレットと、前記光路から退避した位置に設けられた第２の回動軸を中心として回動可能に設けられた切り替えレバーと、光軸を中心とする環形状をなすとともに前記光軸を中心として前記光路の外周側において回動可能に設けられたギヤを介して前記ターレットと前記切り替えレバーとを連動可能に連結し、前記切り替えレバーの回動駆動力を前記ターレットに伝達する動力伝達機構と、を備えたことを特徴とする。
【００１０】
この発明によれば、ターレットの回動中心とは異なる位置を切り替えレバーの回動中心とすることができるので、ターレットの設置位置に制限されることなく切り替えレバーを配置することができる。また、この発明によれば、光路を形成する部材の外周部分をターレットと切り替えレバーとの連結に利用することにより、ターレットと切り替えレバーとを連動させるためのスペースを小さくすることができる。
【００１１】
また、この発明にかかる光学フィルタ切替機構は、上記の発明において、前記動力伝達機構が、前記ターレットと前記切り替えレバーとを前記ギヤに直接連結することによって前記切り替えレバーの回動駆動力を前記ターレットに伝達することを特徴とする。この発明によれば、ターレットと切り替えレバーとを連結する部品点数の低減を図ることができる。
【００１２】
また、この発明にかかるレンズ装置は、光路上に設けられたレンズと、１または複数の光学フィルタを備えるとともに前記光路から退避した位置に設けられた第１の回動軸を中心として回動可能に設けられて、回動することによって前記光学フィルタを選択的に前記光路上に位置付けるターレットと、前記光路から退避した位置に設けられた第２の回動軸を中心として回動可能に設けられた切り替えレバーと、光軸を中心とする環形状をなすとともに前記光軸を中心として前記光路の外周側において回動可能に設けられたギヤを介して前記ターレットと前記切り替えレバーとを連動可能に連結し、前記切り替えレバーの回動駆動力を前記ターレットに伝達する動力伝達機構と、を備えたことを特徴とする。
【００１３】
この発明によれば、ターレットの回動中心とは異なる位置を切り替えレバーの回動中心とすることができるので、ターレットの設置位置に制限されることなく切り替えレバーを配置することができる。また、この発明によれば、光路を形成する部材の外周部分をターレットと切り替えレバーとの連結に利用することにより、ターレットと切り替えレバーとを連動させるためのスペースを小さくすることができる。
【００１４】
また、この発明にかかる撮像装置は、撮像用の光電変換素子と、前記光電変換素子に外光を入射させる上記のレンズ装置と、を備えたことを特徴とする。この発明によれば、ターレットの設置位置に制限されることなく切り替えレバーを配置するとともに、光路を形成する部材の外周部分をターレットと切り替えレバーとの連結に利用することによってターレットと切り替えレバーとを連動させるためのスペースを小さくすることができる。
【発明の効果】
【００１５】
本発明にかかる光学フィルタ切替機構、レンズ装置および撮像装置によれば、大型化することなく簡易な構成によってターレットと切り替えレバーを連結するとともに、設計の自由度の向上を図ることができるという効果を奏する。
【発明を実施するための最良の形態】
【００１６】
以下に添付図面を参照して、この発明にかかる光学フィルタ切替機構、レンズ装置および撮像装置の好適な実施の形態を詳細に説明する。
【００１７】
まず、この発明にかかる実施の形態のレンズ装置について説明する。図１は、この発明にかかる実施の形態のレンズ装置を示す断面図である。図１においては、この発明にかかる実施の形態のレンズ装置を、光軸を通り光軸に平行な平面で切断した断面を示している。図１において、この発明にかかる実施の形態のレンズ装置１００は、鏡筒１０１を備えている。
【００１８】
鏡筒１０１は、略円筒形状からなり、接眼側および対物側となる端部には鏡筒１０１の内部を外部に開放する開口１０２、１０３が設けられている。鏡筒１０１は、接眼側となる端部に設けられた開口１０３を図示を省略する撮像装置本体に対向させた状態で、当該撮像装置本体に取り付けられる。
【００１９】
撮像装置本体内には、撮像用の光電変換素子すなわち撮像素子が配置されている。撮像素子は、レンズ装置１００を介して入射した外光を光電変換し、入射光量に応じた電気信号を出力する。撮像素子は、具体的には、たとえばＣＣＤイメージセンサ（Ｃｈａｒｇｅ  Ｃｏｕｐｌｅｄ  Ｄｅｖｉｃｅ  Ｉｍａｇｅ  Ｓｅｎｓｏｒ）やＣＭＯＳイメージセンサ（Ｃｏｍｐｌｅｍｅｎｔａｒｙ  Ｍｅｔａｌ  Ｏｘｉｄｅ  Ｓｅｍｉｃｏｎｄｕｃｔｏｒ）などの固体撮像素子によって実現することができる。
【００２０】
鏡筒１０１の内周側には複数（この実施の形態においては５つ）のレンズ群１０４、１０５、１０６、１０７、１０８が設けられている。複数のレンズ群１０４、１０５、１０６、１０７、１０８は、対物側から順に、第１レンズ群１０４、第２レンズ群１０５、第３レンズ群１０６、第４レンズ群１０７、および、第５レンズ群１０８の順に配列されている。
【００２１】
複数のレンズ群のうち、もっとも対物側に設けられた第１レンズ群１０４は、第１レンズ枠１０９と、当該第１レンズ枠１０９に保持された第１レンズ１１０と、によって構成されている。第１レンズ１１０は、１つのレンズであってもよいし、複数のレンズであってもよい。この実施の形態における第１レンズ１１０は、光軸方向に配列された複数のレンズによって構成されている。
【００２２】
第１レンズ枠１０９は、鏡筒本体１１１の撮像対象側に取り付けられた略円筒形状からなり、鏡筒本体１１１とともに鏡筒１０１を構成する。第１レンズ枠１０９は鏡筒本体１１１に固定されており、これにより第１レンズ群１０４は鏡筒１０１に対する位置が固定されている。レンズ装置１００は、第１レンズ群１０４、第３レンズ群１０６および第４レンズ群１０７の光軸方向における位置を固定した状態で、第２レンズ群１０５および第５レンズ群１０８を光軸方向に移動させることによって、撮像装置が備えた撮像素子に対する焦点位置を調整する。
【００２３】
第２レンズ群１０５は、第２レンズ枠１１４と、当該第２レンズ枠１１４に保持された第２レンズ１１５と、によって構成されている。第２レンズ１１５は、１つのレンズであってもよいし、複数のレンズであってもよい。第２レンズ枠１１４は、光軸方向において、鏡筒１０１に対して相対的に移動可能に設けられている。
【００２４】
具体的には、たとえば鏡筒１０１の内周面に設けられた螺旋状の溝（雌ネジ）に、第２レンズ枠１１４の外周面に設けられた螺旋状の突起（雄ネジ）をかみ合わせた状態で、第２レンズ枠１１４に対してモータなどの回転駆動力を伝達する。これによって、螺旋状の突起（雄ネジ）が螺旋状の溝（雌ネジ）に沿って移動し、結果、モータの回転方向に応じた方向（接眼側あるいは対物側）にしたがって、第２レンズ枠１１４が光軸に沿って接眼側あるいは対物側に移動する。
【００２５】
第３レンズ群１０６は、第３レンズ枠１１６と、当該第３レンズ枠１１６に保持された第３レンズ１１７と、によって構成されている。第３レンズ１１７は、１つのレンズであってもよいし、複数のレンズであってもよい。第４レンズ群１０７は、第４レンズ枠１１８と、当該第４レンズ枠１１８に保持された第４レンズ１１９と、によって構成されている。第４レンズ１１９は、１つのレンズであってもよいし、複数のレンズであってもよい。第５レンズ群１０８は、第５レンズ枠１２０と、当該第５レンズ枠１２０に保持された第５レンズ１２１と、によって構成されている。第５レンズ１２１は、１つのレンズであってもよいし、複数のレンズであってもよい。第５レンズ群１０８は、光軸方向において、鏡筒１０１に対して相対的に移動可能に設けられている。
【００２６】
鏡筒１０１内において、第２レンズ群１０５と第３レンズ群１０６との間には、光学フィルタ切り替え機構１２２が設けられている。光学フィルタ切り替え機構１２２は、複数のＮＤフィルタ（図４、図６、図７および図１０を参照）を備えており、操作者の操作に応じていずれか一つのＮＤフィルタを選択的に光路上に位置付けることが可能な構成とされている。光学フィルタ切り替え機構１２２については後述する。
【００２７】
つぎに、この発明にかかる実施の形態の光学フィルタ切替機構について説明する。図２、図３、図４、図５、図６、図７、図８、図９、図１０、図１１および図１２は、この発明にかかる実施の形態の光学フィルタ切替機構を示す説明図である。図２においては光学フィルタ切替機構１２２の外観を正面（撮像対象側）から斜めに見た状態を示しており、図３においては光学フィルタ切替機構１２２の外観を正面側（撮像対象側）から見た状態を示しており、図４においては光学フィルタ切替機構１２２の外観を背面側（接眼側）から見た状態を示しており、図５においては光学フィルタ切替機構１２２の外観を側方から見た状態を示している。
【００２８】
図６においてはこの発明にかかる実施の形態の光学フィルタ切替機構１２２を分解して撮像対象側から見た状態を示しており、図７においてはこの発明にかかる実施の形態の光学フィルタ切替機構１２２を分解して接眼側から見た状態を示している。図８においてはＮＤ切り替えギヤカバーを外した状態の光学フィルタ切替機構１２２を正面（撮像対象側）から斜めに見た状態を示しており、図９においてはＮＤ切り替えギヤカバーを外した状態の光学フィルタ切替機構１２２を正面側（撮像対象側）から見た状態を示している。
【００２９】
図１０においてはＮＤ切り替えギヤカバーを外した状態の光学フィルタ切替機構１２２を背面側（接眼側）から見た状態を示しており、図１１においてはＮＤ切り替えギヤカバーを外した状態の光学フィルタ切替機構１２２を側方から見た状態を示している。図１２においては、図１１におけるＡ−Ａ線で切断した状態の光学フィルタ切替機構１２２を正面側（撮像対象側）から見た状態を示している。
【００３０】
図２、図３、図４、図５、図６、図７、図８、図９、図１０、図１１および図１２において、この発明にかかる実施の形態の光学フィルタ切替機構１２２は、支持基板２０１を備えている。支持基板２０１は、レンズ装置１００における光路を開放するように、光軸方向に貫通する開口２０２を備えている。開口２０２は円形からなり、支持基板２０１は開口２０２の中心が光軸と一致するように配置される。
【００３１】
光学フィルタ切替機構１２２において、支持基板２０１よりも接眼側には、ターレット４０１が設けられている。ターレット４０１は、複数（この実施の形態においては３つ）のＮＤフィルタ４０２（４０２ａ、４０２ｂ、４０２ｃ）と、当該複数のＮＤフィルタ４０２を支持するターレット板４０３と、によって構成されている。ＮＤ（Ｎｅｕｔｒａｌ  Ｄｅｎｓｉｔｙ、減光）フィルタ４０２は、ＮＤフィルタ４０２に入射する光量に対してＮＤフィルタ４０２を通過する光量を減少させる。
【００３２】
ＮＤフィルタ４０２を使用することによりシャッタースピードを下げる事が可能になり、たとえば大口径レンズ使用時の晴天時の屋外ポートレート撮影などに際して、開放状態のまま撮影が可能になったり、シャッタースピードを下げる事で長時間撮影による特殊効果を出したり、といった撮影ができる。この実施の形態においては、黒色あるいは金属蒸着による銀色などの濃さの度合いが異なる複数種類（この実施の形態においては３種類）のＮＤフィルタ４０２が取り付けられている。
【００３３】
ターレット板４０３は、板金の打ち抜き加工によって形成されており、光軸方向に貫通する複数（この実施の形態においては３つ）の開口４０４（４０４ａ、４０４ｂ、４０４ｃ）を備えている。複数のＮＤフィルタ４０２は、それぞれ、開口４０４を覆うようにしてターレット板４０３に取り付けられている。複数のＮＤフィルタ４０２は、それぞれ光透過率が異なっている。
【００３４】
ターレット４０１は、鏡筒１０１内に設けられたＮＤ回転中心ギヤ６０１に連結されている。ＮＤ回転中心ギヤ６０１は支持基板２０１の面方向に平行な面内において、回動軸６０１ａを回動中心として回動可能に設けられている。この実施の形態においては、回動軸６０１ａによって第１の回動軸を実現することができる。ターレット４０１は、ＮＤ回転中心ギヤ６０１が回動軸６０１ａを中心として回動した場合に、ＮＤ回転中心ギヤ６０１の回転にともなってＮＤ回転中心ギヤ６０１と同一方向に回動する。
【００３５】
光学フィルタ切り替え機構１２２においては、ＮＤ回転中心ギヤ６０１の回動軸６０１ａを回動中心としてターレット４０１を回動させることによって、いずれか１つのＮＤフィルタ４０２（４０２ａ、４０２ｂあるいは４０２ｃ）を選択的に光路上に位置付けることが可能な構成とされている。言い換えれば、光学フィルタ切り替え機構１２２は、ＮＤ回転中心ギヤ６０１を回動中心としてターレット４０１を回動させることによって、いずれか１つのＮＤフィルタ４０２が開口２０２に重複する位置に、ターレット４０１を位置付けることが可能な構成とされている。
【００３６】
また、光学フィルタ切り替え機構１２２においては、ＮＤ回転中心ギヤ６０１を回動中心としてターレット４０１を回動させることによって、複数の開口４０４のいずれも開口２０２に重複しない位置に変位することが可能な構成とされている。この場合、第２レンズ群１０５から出射された光がすべて第３レンズ群１０６に入射する。
【００３７】
ＮＤ回転中心ギヤ６０１には、ギヤ列１２００を介してＮＤ切り替えレバー２０３が連結されている。この実施の形態においては、ＮＤ切り替えレバー２０３によって切り替えレバーを実現することができる。ＮＤ切り替えレバー２０３は、支持基板２０１とＮＤ切り替えギヤカバー２０４との間に設けられた回動軸２０５を中心として、支持基板２０１の面方向に平行な面内において回動可能に設けられている。回動軸２０５は、支持基板２０１に固定されている。
【００３８】
ＮＤ切り替えレバー２０３は操作者の手動操作を受け付けた場合に回動し、光学フィルタ切替機構１２２はＮＤ切り替えレバー２０３を介して操作者の手動操作を受け付けた場合に、ＮＤ切り替えレバー２０３の回動量（回動角度）に応じてターレット４０１を回動させる。
【００３９】
光学フィルタ切替機構１２２においては、このようなＮＤ切り替えレバー２０３の操作によって、開口２０２を通過する光の透過率を調整することができる。光学フィルタ切替機構１２２において、たとえば回動させることによっていずれのＮＤフィルタ４０２も開口２０２に重複しない位置にターレット４０１を位置づけた場合、第１レンズ群１０４における第１レンズ１１０を通過した光すべてが第３レンズ群１０６に入射する。
【００４０】
ＮＤ回転中心ギヤ６０１とＮＤ切り替えレバー２０３とを連結するギヤ列１２００は、ギヤ６０２、ギヤ６０３およびギヤ６０４によって構成されており、ＮＤ切り替えギヤカバー２０４の内側に設けられている。ギヤ６０２は、ＮＤ回転中心ギヤ６０１が有するギヤ歯にかみ合うギヤ歯を有しており、これらのギヤ歯どうしをかみ合わせることによってＮＤ回転中心ギヤ６０１に連結されている。ギヤ６０２は、環形状からなり、開口２０２の外周側に設けられている。ギヤ６０２は、開口２０２の中心位置すなわち光軸を中心として回動可能に設けられている。
【００４１】
ギヤ６０２は、ギヤ６０４が有するギヤ歯にかみ合うギヤ歯を有しており、これらのギヤ歯どうしをかみ合わせることによってギヤ６０４に連結されている。ギヤ６０４が有するギヤ歯には、ギヤ６０３が有するギヤ歯がかみ合わされている。すなわち、ギヤ６０４は、ギヤ６０２とギヤ６０３との間に設けられて、ギヤ６０２およびギヤ６０３の双方にかみ合うことで、ギヤ６０２とギヤ６０３とを連結している。これにより、ＮＤ回転中心ギヤ６０１は、ギヤ６０２、ギヤ６０４を介してギヤ６０３に連結されている。
【００４２】
ギヤ６０４を、ギヤ６０２とギヤ６０３との間に連結することによって、ＮＤ切り替えレバー２０３の回動方向とギヤ６０１の回動方向とを反転することができる。ＮＤ切り替えレバー２０３の回動方向とギヤ６０１の回動方向とを同一方向にする場合は、ギヤ６０２とギヤ６０３との間にギヤ６０４を設けず、ギヤ６０２とギヤ６０３とを直接連結すればよい。各ギヤ６０２、６０３、６０４はそれぞれ支持基板２０１に支持されており、支持基板２０１の面方向に平行な面内において回動する。
【００４３】
ギヤ６０３は、ＮＤ切り替えレバー２０３の回動中心となる回動軸２０５を中心として回動可能に設けられている。この実施の形態においては、回動軸２０５によって第２の回動軸を実現することができる。ギヤ６０３は、ＮＤ切り替えレバー２０３と一体に成型されている。ＮＤ切り替えレバー２０３が操作されるとＮＤ切り替えレバー２０３の回動量（回動角度）に応じてギヤ６０３が回動し、ギヤ６０３の回動はギヤ６０４、ギヤ６０２を介してＮＤ回転中心ギヤ６０１に伝達される。このような構成によって、ＮＤ切り替えレバー２０３の操作に応じてＮＤ回転中心ギヤ６０１を回動させることができ、ＮＤ回転中心ギヤ６０１を回動させることによってターレット４０１を回動させ、開口２０２を通過する光量を調整することができる。
【００４４】
ターレット板４０３には、レバー係止溝４０５が設けられている。レバー係止溝４０５は、ＮＤ回転中心ギヤ６０１を間にして複数の開口４０４とは反対側に設けられており、ＮＤ回転中心ギヤ６０１の周囲を開放するようにターレット板４０３を光軸方向に貫通している。ターレット４０１が回動した場合、ターレット板４０３に設けられているレバー係止溝４０５もＮＤ回転中心ギヤ６０１を中心として回動する。レバー係止溝４０５において、ターレット４０１の回動中心に近い側（光軸側）の周縁は、ターレット４０１の回動中心を中心とする円の半径が当該中心の周りにおいて連続的に増減するように波形状とされている。言い換えると、ターレット４０１の回動中心に近い側（光軸側）の周縁は、ターレット４０１の回動中心に対する距離が増減するような波形状とされている。
【００４５】
ＮＤ切り替えギヤカバー２０４の内部には、クリックレバー６０５が設けられている。クリックレバー６０５の一端は止めビス６０６によって支持基板２０１に取り付けられており、クリックレバー６０５は止めビス６０６を回動中心として回動可能とされている。止めビス６０６は、クリックレバー６０５とともにクリックレバーバネ４０６を支持基板２０１に固定している。
【００４６】
クリックレバーバネ４０６は、クリックレバー６０５の他端をＮＤ回転中心ギヤ６０１の回転中心方向に付勢する。クリックレバーバネ４０６は、具体的には、たとえばトーションバネによって実現することができる。クリックレバーバネ４０６をトーションバネによって実現する場合、トーションバネの一端を支持基板２０１に固定し、他端をクリックレバー６０５に取り付ける。これによってクリックレバー６０５における他端を、クリックレバーバネ４０６によってＮＤ回転中心ギヤ６０１の回転中心方向に付勢することができる。
【００４７】
クリックレバー６０５の他端には、光軸方向に沿ってターレット板４０３に向かって突出する突起４０７が設けられている。突起４０７は、ターレット板４０３に設けられたレバー係止溝４０５に係合している。クリックレバー６０５の他端はクリックレバーバネ４０６によってＮＤ回転中心ギヤ６０１の回転中心方向に付勢されているため、突起４０７はレバー係止溝４０５によって形成される波形状の周縁のうちＮＤ回転中心ギヤ６０１の回転中心に近い位置で安定して停止する。各開口４０４は、ＮＤ回転中心ギヤ６０１の回転中心に近い位置で突起４０７が安定して停止する状態において開口２０２に重複するように設けられている。これによって、複数種類のＮＤフィルタ４０２は開口４０４と開口２０２とが重複する位置に安定して位置することができる。
【００４８】
ＮＤ回転中心ギヤ６０１の回動にともなってターレット４０１が回動すると、レバー係止溝４０５における突起４０７の係止位置が変化する。レバー係止溝４０５における突起４０７の係止位置は、レバー係止溝４０５における波形の曲線に沿って変化する。ターレット板４０３の回動によって変化する突起４０７の係止位置がＮＤ回転中心ギヤ６０１の回転中心から遠くなるほど、クリックレバーバネ４０６による付勢力が大きく作用し、係止位置をＮＤ回転中心ギヤ６０１の回転中心に近づけるような付勢力が突起４０７に作用するため、突起４０７の安定性が低下する。突起４０７は、突起４０７の係止位置がＮＤ回転中心ギヤ６０１の回転中心からもっとも遠くなる位置を通過すると、それまで係止していた凹部から隣の凹部に移動する。
【００４９】
回動することによってクリックレバー６０５が所定の位置から変位すると、クリックレバー６０５に連結されたクリックレバーバネ４０６が開く方向に変形する。変形したクリックレバーバネ４０６は、自身の弾性によって変形前の元の形状に復帰しようとするため、クリックレバー６０５に対してはクリックレバー６０５を所定の位置に位置付けるように付勢する付勢力がクリックレバーバネ４０６によって加えられる。
【００５０】
このような構成とすることによって、ターレット板４０３の回動にともなうレバー係止溝４０５の回動によって、レバー係止溝４０５における突起４０７の係止位置が変化した場合にも、突起４０７を極力安定する位置に位置付けることができ、これによってＮＤフィルタ４０２を安定して支持することができる。
【００５１】
以上説明したように、この実施の形態の光学フィルタ切替機構１２２は、複数（たとえば３つ）の光学フィルタの一例としてのＮＤフィルタ４０２を備えるとともに光路から退避した位置に設けられた第１の回動軸の一例としての回動軸６０３ａを中心として回動可能に設けられて、回動することによって複数のＮＤフィルタ４０２を選択的に光路上に位置付けるターレット４０１と、光路から退避した位置に設けられた第２の回動軸の一例としての回動軸２０５を中心として回動可能に設けられた切り替えレバーの一例としてのＮＤ切り替えレバー２０３と、光軸を中心とする環形状をなすとともに前記光軸を中心として回動可能に設けられたギヤを介してターレット４０１とＮＤ切り替えレバー２０３とを連動可能に連結し、ＮＤ切り替えレバー２０３の回動駆動力をターレット４０１に伝達する動力伝達機構と、を備えたことを特徴とし、ターレット４０１の回動中心とは異なる位置をＮＤ切り替えレバー２０３の回動中心とすることができる。
【００５２】
これによって、ターレット４０１の設置位置に制限されることなくＮＤ切り替えレバー２０３を配置することができる。また、この発明によれば、光軸を中心として開口部の周囲において環形状をなすギヤ６０４によってギヤ６０２とギヤ６０３とを連結することによって、ＮＤ回転中心ギヤ６０１とＮＤ切り替えレバー２０３とを連結するギヤを配置するための設置スペースを大きくすることなく、ターレット４０１とＮＤ切り替えレバー２０３とを連結することができる。このような構成とすることにより、大型化することなく簡易な構成によってターレット４０１と切り替えレバーを連結するとともに、設計の自由度の向上を図ることができる。
【００５３】
また、この実施の形態の光学フィルタ切替機構１２２によれば、動力伝達機構が、ターレット４０１とＮＤ切り替えレバー２０３とをギヤ６０４に直接連結することによってＮＤ切り替えレバー２０３の回動駆動力をターレット４０１に伝達することを特徴とするため、ターレット４０１とＮＤ切り替えレバー２０３とを連結する部品点数の低減を図ることができる。これによって、大型化することなく簡易な構成によってターレット４０１とＮＤ切り替えレバー２０３を連結するとともに、光学フィルタ切替機構におけるＮＤ切り替えレバー２０３の設計の自由度の向上を図ることができる。
【００５４】
また、この実施の形態の光学フィルタ切替機構１２２を備えたレンズ装置１００によれば、光路上に設けられたレンズと、１または複数の光学フィルタを備えるとともに光路から退避した位置に設けられた第１の回動軸を中心として回動可能に設けられて、回動することによって光学フィルタを選択的に光路上に位置付けるターレット４０１と、光路から退避した位置に設けられた第２の回動軸を中心として回動可能に設けられた切り替えレバーと、光軸を中心とする環形状をなすとともに光軸を中心として回動可能に設けられたギヤを介してターレット４０１と切り替えレバーとを連動可能に連結し、切り替えレバーの回動駆動力をターレット４０１に伝達する動力伝達機構と、を備えたことを特徴とし、ターレット４０１の回動中心とは異なる位置をＮＤ切り替えレバー２０３の回動中心とすることができるので、ターレット４０１の設置位置に制限されることなくＮＤ切り替えレバー２０３を配置することができる。また、この実施の形態の光学フィルタ切替機構１２２を備えたレンズ装置１００によれば、ＮＤ回転中心ギヤ６０１とＮＤ切り替えレバー２０３とを連結するギヤを配置するための設置スペースを大きくすることなく、ターレット４０１とＮＤ切り替えレバー２０３とを連結することができる。これによって、大型化することなく簡易な構成によってターレット４０１とＮＤ切り替えレバー２０３とを連結するとともに、レンズ装置における設計の自由度の向上を図ることができる。
【００５５】
また、このようなレンズ装置１００を備え、このレンズ装置１００を用いて、撮像用の光電変換素子に外光を入射させるようにした撮像装置によれば、ターレット４０１の設置位置に制限されることなくＮＤ切り替えレバー２０３を配置するとともに、ギヤを配置するための設置スペースを確保することなくターレット４０１とＮＤ切り替えレバー２０３とを連結することができる。これによって、大型化することなく簡易な構成によってターレット４０１とＮＤ切り替えレバー２０３を連結するとともに、撮像装置における設計の自由度の向上を図ることができる。
【産業上の利用可能性】
【００５６】
以上のように、この発明にかかる光学フィルタ切替機構、レンズ装置および撮像装置は、光学フィルタを光路上に選択的に位置付ける光学フィルタ切替機構、当該光学フィルタ切替機構を備えたレンズ装置および当該レンズ装置を備えた撮像装置に有用であり、特に、複数の光学フィルタを備えた光学フィルタ切替機構、当該光学フィルタ切替機構を備えたレンズ装置および当該レンズ装置を備えた撮像装置に適している。
【図面の簡単な説明】
【００５７】
【図１】この発明にかかる実施の形態のレンズ装置を示す断面図である。
【図２】この発明にかかる実施の形態の光学フィルタ切替機構を示す説明図（その１）である。
【図３】この発明にかかる実施の形態の光学フィルタ切替機構を示す説明図（その２）である。
【図４】この発明にかかる実施の形態の光学フィルタ切替機構を示す説明図（その３）である。
【図５】この発明にかかる実施の形態の光学フィルタ切替機構を示す説明図（その４）である。
【図６】この発明にかかる実施の形態の光学フィルタ切替機構を示す説明図（その５）である。
【図７】この発明にかかる実施の形態の光学フィルタ切替機構を示す説明図（その６）である。
【図８】この発明にかかる実施の形態の光学フィルタ切替機構を示す説明図（その７）である。
【図９】この発明にかかる実施の形態の光学フィルタ切替機構を示す説明図（その８）である。
【図１０】この発明にかかる実施の形態の光学フィルタ切替機構を示す説明図（その９）である。
【図１１】この発明にかかる実施の形態の光学フィルタ切替機構を示す説明図（その１０）である。
【図１２】この発明にかかる実施の形態の光学フィルタ切替機構を示す説明図（その１１）である。
【符号の説明】
【００５８】
１００  レンズ装置
１２２  光学フィルタ切替機構
２０１  支持基板
２０２  開口
２０３  ＮＤ切り替えレバー
２０５  回動軸
４０４（４０４ａ、４０４ｂ、４０４ｃ）  開口
４０５  レバー係止溝
６０１  ＮＤ回転中心ギヤ
６０１ａ  回動軸
６０２、６０３、６０４  ギヤ
６０５  クリックレバー
１２００  ギヤ列
【図１】
2010061002.tif 000003
【図２】
2010061002.tif 000004
【図３】
2010061002.tif 000005
【図４】
2010061002.tif 000006
【図５】
2010061002.tif 000007
【図６】
2010061002.tif 000008
【図７】
2010061002.tif 000009
【図８】
2010061002.tif 000010
【図９】
2010061002.tif 000011
【図１０】
2010061002.tif 000012
【図１１】
2010061002.tif 000013
【図１２】
2010061002.tif 000014